【手続補正書】
【提出日】平成17年4月7日(2005.4.7)
【手続補正１】
【補正対象書類名】明細書
【補正対象項目名】特許請求の範囲
【補正方法】変更
【補正の内容】
【特許請求の範囲】
【請求項１】
外部装置と送受信可能に接続し、
規定数以下の識別子に対応づけられた複数の論理デバイスと、
前記規定数分またはそれ以下の識別子を含む複数の識別子のグループのそれぞれに付与されるグループＩＤと前記識別子とが付加されたデータ入出力要求を前記外部装置から受信する送受信手段と、
前記グループＩＤで特定される前記グループに所属し、前記識別子に対応づけられている前記論理デバイスに対して、データの入出力処理を実行する実行手段とを備えることを特徴とする記憶制御装置。
【請求項２】
外部装置と送受信可能に接続し、
複数の論理デバイスと、
データの送信元を区別するためのキューＩＤが付加された複数のキューと、
前記外部装置から前記キューＩＤが付加された入出力要求を受信し、前記キューＩＤに従って、前記入出力要求を前記キューに格納する送受信手段と、
それぞれの前記キューに与えられた優先順位に基づいて、前記キューから前記入出力要求を取り出し、該入出力要求を処理する実行手段とを備えることを特徴とする記憶制御装置。
【請求項３】
外部装置と送受信可能に接続し、
規定数以下の識別子に対応づけられた複数の論理デバイスと、
前記識別子に対応づけられている前記論理デバイスに対してデータの入出力を行う入出力手段と、
前記規定数分の識別子を含む複数の識別子のグループのそれぞれに付与されるグループＩＤが付加された複数のキューと、
前記グループＩＤと前記識別子とが付加されたデータ入出力要求を前記外部装置から受信し、前記グループＩＤに従って、前記入出力要求を前記キューに格納する送受信手段と、
それぞれのキューに与えられた優先順位に基づいて、前記キューから前記入出力要求を取り出し、該入出力要求を処理する実行手段とを備えることを特徴とする記憶制御装置。
【請求項４】
前記実行手段が、前記論理デバイスとＳＣＳＩ規格におけるＣＤＢを使用したインタフェースで通信を行うことを特徴とする請求項１から３のいずれかに記載の記憶制御装置。
【請求項５】
前記送受信手段が、外部装置とファイル指定によるデータの送受信を行い、外部装置から受信した入出力要求で要求された前記論理デバイスへの入出力を、前記実行手段に実行させることを特徴とする請求項２に記載の記憶制御装置。
【請求項６】
前記送受信手段が、前記入出力要求を分類して複数のキューに格納し、
前記実行手段が、前記キューごとに優先順位を設定することを特徴とする請求項５に記載の記憶制御装置。
【請求項７】
外部装置と送受信可能に接続し、
複数の論理デバイスと、
前記論理デバイスに対しデータの入出力を実行する実行手段と、
外部装置とファイル指定による送受信を行い、外部装置から受信した入出力要求で要求された前記論理デバイスへの入出力を前記実行手段に実行させる送受信手段と、
前記送受信手段と前記実行手段とが、常時互いに監視し、一方の障害の発生を他方が検知する検知手段とを備えることを特徴とする記憶制御装置。
【請求項８】
外部装置と送受信可能に接続し、
複数の論理デバイスと、
前記論理デバイスに対しデータの入出力を実行する複数の実行手段と、
外部装置とファイル指定による送受信を行い、前記実行手段のうち特定の実行手段を選択し、選択した該実行手段に、外部装置から受信した入出力要求で要求された前記論理デバイスへの入出力を前記実行手段に実行させる送受信手段とを備えることを特徴とする記憶制御装置。
【請求項９】
前記送受信手段と前記実行手段とが、常時互いに監視し、一方の障害の発生を他方が検知する検知手段を備えることを特徴とする請求項８に記載の記憶制御装置。
【請求項１０】
前記送受信手段が、前記実行手段のうちの一つに障害が発生したことを検知した場合に、該障害を発生した実行手段を指定する指定情報が付帯される入出力要求を受信したとき、該入出力要求を前記障害が発生した実行手段とは異なる前記実行手段に処理させることを特徴とする請求項９に記載の記憶制御装置。
【請求項１１】
前記送受信手段と前記実行手段とが、定期的に信号を出し合うことにより互いに監視し、一方が所定時間該信号を受信しないときに、他方に障害が発生したと認識することを特徴とする請求項７から１０のいずれかに記載の記憶制御装置。
【請求項１２】
前記送受信手段が前記実行手段に障害が発生したことを検知した時に、障害がおきた前記実行手段に障害修復信号を送る障害修復手段を備えることを特徴とする請求項７から１０のいずれかに記載の記憶制御装置。
【請求項１３】
前記複数の実行手段が、常時互いに監視し、一方の障害の発生を他方が検知する検知手段を備えることを特徴とする請求項８に記載の記憶制御装置。
【請求項１４】
前記複数の実行手段が、定期的に信号を出し合うことにより互いに監視し、一方が所定時間該信号を受信しないときに、他方に障害が発生したと認識することを特徴とする請求項８または１３に記載の記憶制御装置。
【請求項１５】
前記複数の実行手段の一つに障害が発生した時に障害が発生した前記実行手段に障害修復信号を送る障害修復手段を備えることを特徴とする請求項９または１３に記載の記憶制御装置。
【請求項１６】
前記送受信手段を実施する回路と前記実行手段を実施する回路とが、同一基板上に設けられていることを特徴とする請求項５，６，７，８，９，１３のいずれかに記載の記憶制御装置。
【請求項１７】
前記論理デバイスが、ＲＡＩＤ方式で運用されていることを特徴とする請求項１，２，３，７，８，９に記載の記憶制御装置。
【手続補正２】
【補正対象書類名】明細書
【補正対象項目名】０００５
【補正方法】変更
【補正の内容】
【０００５】
【課題を解決するための手段】
前記目的を達成するための本発明の主たる発明にかかる記憶制御装置は、外部装置と送受信可能に接続し、規定数以下の識別子に対応づけられた複数の論理デバイスと、前記規定数分またはそれ以下の識別子を含む複数の識別子のグループのそれぞれに付与されるグループＩＤと前記識別子とが付加されたデータ入出力要求を前記外部装置から受信する送受信手段と、前記グループＩＤで特定される前記グループに所属し、前記識別子に対応づけられている前記論理デバイスに対して、データの入出力処理を実行する実行手段とを備えることを特徴とする。
【手続補正３】
【補正対象書類名】明細書
【補正対象項目名】０００７
【補正方法】変更
【補正の内容】
【０００７】
外部装置と送受信可能に接続し、規定数以下の識別子に対応づけられた複数の論理デバイスと、前記規定数分またはそれ以下の識別子を含む複数の識別子のグループのそれぞれに付与されるグループＩＤと前記識別子とが付加されたデータ入出力要求を前記外部装置から受信する送受信手段と、前記グループＩＤで特定される前記グループに所属し、前記識別子に対応づけられている前記論理デバイスに対して、データの入出力処理を実行する実行手段とを備えることを特徴とする記憶制御装置。
【手続補正４】
【補正対象書類名】明細書
【補正対象項目名】００１０
【補正方法】変更
【補正の内容】
【００１０】
また、本発明にかかる記憶制御装置は、外部装置と送受信可能に接続し、複数の論理デバイスと、データの送信元を区別するためのキューＩＤが付加された複数のキューと、前記外部装置から前記キューＩＤが付加された入出力要求を受信し、前記キューＩＤに従って、前記入出力要求を前記キューに格納する送受信手段と、それぞれの前記キューに与えられた優先順位に基づいて、前記キューから前記入出力要求を取り出し、該入出力要求を処理する実行手段とを備えることとしてもよい。
これにより各入出力要求に対しより綿密に優先度を制御することが可能となり、論理デバイスの効果的な利用が可能となる。
【手続補正５】
【補正対象書類名】明細書
【補正対象項目名】００１１
【補正方法】変更
【補正の内容】
【００１１】
また、本発明にかかる記憶制御装置は、外部装置と送受信可能に接続し、規定数以下の識別子に対応づけられた複数の論理デバイスと、前記識別子に対応づけられている前記論理デバイスに対してデータの入出力を行う入出力手段と、前記規定数分の識別子を含む複数の識別子のグループのそれぞれに付与されるグループＩＤが付加された複数のキューと、前記グループＩＤと前記識別子とが付加されたデータ入出力要求を前記外部装置から受信し、前記グループＩＤに従って、前記入出力要求を前記キューに格納する送受信手段と、それぞれのキューに与えられた優先順位に基づいて、前記キューから前記入出力要求を取り出し、該入出力要求を処理する実行手段とを備えることとしてもよい。
これにより各入力要求に対し、さらに綿密な実行優先度の制御が可能となり、論理デバイスの効果的な利用が可能となる。
【手続補正６】
【補正対象書類名】明細書
【補正対象項目名】００１２
【補正方法】変更
【補正の内容】
【００１２】
また、前記実行手段が、前記論理デバイスとＳＣＳＩ規格におけるＣＤＢ（Command Descriptor Block）を使用したインタフェースで通信を行うこととしてもよい。これにより、使用感や汎用性が改善される。
【手続補正７】
【補正対象書類名】明細書
【補正対象項目名】００１３
【補正方法】変更
【補正の内容】
【００１３】
また、前記送受信手段が、外部装置とファイル指定によるデータの送受信を行い、外部装置から受信した入出力要求で要求された前記論理デバイスへの入出力を、前記実行手段に実行させることとしてもよい。
これにより、データの送受信の作業と論理デバイスへの入出力の作業とを行う手段を分離することができるようになり、データ入出力の効率化を図ることができる。
【手続補正８】
【補正対象書類名】明細書
【補正対象項目名】００１４
【補正方法】変更
【補正の内容】
【００１４】
また、前記送受信手段が、前記入出力要求を分類して複数のキューに格納し、前記実行手段が、前記キューごとに優先順位を設定することとしてもよい。
これにより、キューごとの入出力要求の分類作業と該入出力要求の実行作業とを行う手段を分離することができ、データ入出力の効率化が図られる。
【手続補正９】
【補正対象書類名】明細書
【補正対象項目名】００１５
【補正方法】変更
【補正の内容】
【００１５】
さらに、本発明にかかる記憶制御装置は、外部装置と送受信可能に接続し、複数の論理デバイスと、前記論理デバイスに対しデータの入出力を実行する実行手段と、外部装置とファイル指定による送受信を行い、外部装置から受信した入出力要求で要求された前記論理デバイスへの入出力を前記実行手段に実行させる送受信手段と、前記送受信手段と前記実行手段とが、常時互いに監視し、一方の障害の発生を他方が検知する検知手段とを備えることとしてもよい。
これにより、前記実行手段と前記送受信手段とが、互いに相手の障害を検出できるようになる。
【手続補正１０】
【補正対象書類名】明細書
【補正対象項目名】００１６
【補正方法】変更
【補正の内容】
【００１６】
また、本発明にかかる記憶制御装置は、外部装置と送受信可能に接続し、複数の論理デバイスと、前記論理デバイスに対しデータの入出力を実行する複数の実行手段と、外部装置とファイル指定による送受信を行い、前記実行手段のうち特定の実行手段を選択し、選択した該実行手段に、外部装置から受信した入出力要求で要求された前記論理デバイスへの入出力を前記実行手段に実行させる送受信手段とを備えることとしてもよい。
これにより、実行手段の負荷を分散させることが可能になる。
【手続補正１１】
【補正対象書類名】明細書
【補正対象項目名】００１８
【補正方法】変更
【補正の内容】
【００１８】
また、前記送受信手段が、前記実行手段のうちの一つに障害が発生したことを検知した場合に、該障害を発生した実行手段を指定する指定情報が付帯される入出力要求を受信したとき、該入出力要求を前記障害が発生した実行手段とは異なる前記実行手段に処理させることとしてもよい。
これにより、実行手段の障害部位を、迅速に回避して処理を続行できるようになる。
【手続補正１２】
【補正対象書類名】明細書
【補正対象項目名】００２０
【補正方法】変更
【補正の内容】
【００２０】
また、前記送受信手段が前記実行手段に障害が発生したことを検知した時に、障害がおきた前記実行手段に障害修復信号を送る障害修復手段を備えることとしてもよい。
これにより、実行手段の障害を送受信手段が修理できるようになる。